(57)【要約】【課題】  プライバシーと開放感を両立することができ、屋内側から屋外の自然を感じることができる住宅を提供する。【解決手段】住宅は、長手方向が互いに平行な平面視矩形の２つの１階居住空間３ａ，３ｂと、前記２つの１階居住空間３ａ，３ｂの間に形成され当該２つの１階居住空間３ａ，３ｂを行き来可能に接続する連絡通路４と、前記２つの１階居住空間３ａ，３ｂの間であり、且つ前記連絡通路４の両側に隣接して形成される庭１１と、を１階に備え、前記連絡通路４の両側は全面透明な１階全面窓１０が形成され、２つの前記１階居住空間３ａ，３ｂは互いに対向する前記庭１１側の面に床面から天井面までに亘る開口部１２が形成されるとともに、前記１階居住空間３ａ，３ｂの長手方向が前記矩形領域２の一方の対角線２６が前記連絡通路４及びその両側の前記庭１１を通る。【選択図】図１
2019196662.tif 000002
【特許請求の範囲】
【請求項１】
敷地全体が略矩形の矩形領域を形成し、又は敷地のアプローチ部及び車庫部を除いた部分が略矩形の矩形領域を形成する敷地に建設される住宅であって、
長手方向が互いに平行な平面視矩形の２つの１階居住空間と、
前記２つの１階居住空間の間に形成され当該２つの１階居住空間を行き来可能に接続する連絡通路と、
前記２つの１階居住空間の間であり、且つ前記連絡通路の両側に隣接して形成される庭と、
を１階に備え、
前記連絡通路の両側は全面透明な１階全面窓が形成され、
２つの前記１階居住空間は互いに対向する前記庭側の面に床面から天井面までに亘る開口部が形成されるとともに、
前記矩形領域の一方の対角線が前記連絡通路及びその両側の前記庭を通ることを特徴とする住宅。
【請求項２】
前記２つの１階居住空間の互いに対向する面が、前記矩形領域の一方の側辺側から当該側辺に垂直な方向を平行投影した場合に、重なる配置であることを特徴とする請求項１に記載の住宅。
【請求項３】
２階以上の階層を有する住宅であって、
前記２つの１階居住空間の上部にそれぞれ形成される２つの２階居住空間と、
前記連絡通路の上に形成され、前記２階居住空間を行き来可能に接続する渡り廊下と、を更に備え、
前記渡り廊下は前記連絡通路よりも幅狭に形成されており、前記渡り廊下に隣接して、前記連絡通路と連通する吹き抜け部が設けられ、
前記連絡通路の前記１階全面窓の上に２階全面窓が形成されることを特徴とする請求項１又は請求項２に記載の住宅。
【請求項４】
前記２階居住空間の床高さで、一方の前記２階全面窓に対して平行に屋外方向に距離を開けて架設される第一水平ブレースを備えることを特徴とする請求項３に記載の住宅。
【請求項５】
前記第一水平ブレースは、屋根状に形成された架設体の内部に収納されており、当該架設体の両端部の下に、前記２つの１階居住空間の庭側の開口部である出入り窓がそれぞれ形成されることを特徴とする請求項４に記載の住宅。
【請求項６】
前記２階居住空間の床高さで、一方の前記２階居住空間の他方の前記２階居住空間と対向する外壁の端縁から、前記１階居住空間の長手方向に突出する構造梁と、
他方の前記２階全面窓に対して平行に屋外方向に距離を開けて前記構造梁の先端と他方の前記２階居住空間との間に架設される第二水平ブレースとを備えることを特徴とする請求項４又は請求項５に記載の住宅。
【発明の詳細な説明】
【技術分野】
【０００１】
本発明は、庭を有する住宅に関し、プライバシーを保ちつつも屋内外の連続性を確保した住宅に関する。
【背景技術】
【０００２】
従来から、平面視コ字型に形成し、コの字の内側に庭を配置した住宅が知られている（例えば特許文献１参照）。このように配置すると、庭によって住宅の外側が閉塞された状態であっても、開放的な住宅の外観を形成することができるとともに、中庭が敷地外に向かって開放している面は限られているので、開放的な外観でありつつも中庭や建物内部のプライバシーを確保しやすい。
【０００３】
また、例えば２つの住居棟から構成され、これら両住居棟の間に渡り廊下を配置し、当該渡り廊下の両側に庭を設けた住宅が知られている（例えば特許文献２参照）。この住宅は、庭と渡り廊下とがガラスの壁で仕切られており、渡り廊下に外部空間である庭との一体感が形成され、広がり感のある開放的な渡り廊下を形成することができる。
【先行技術文献】
【特許文献】
【０００４】
【特許文献１】特開２００２−２２７４３３号公報
【特許文献２】特開２００１−１３２２４９号公報
【発明の概要】
【発明が解決しようとする課題】
【０００５】
しかし、特許文献１のような住宅は、庭が一方だけ開放しているので、中庭からの開放感が十分とはいえず、またプライバシーを確保するためには中庭の開放されている面に塀などの目隠しを設ける必要があるので、十分な開放感を確保することが困難である。また、特許文献２のような住宅においても、渡り廊下の両側の庭がそれぞれ敷地外に向かって開かれているので、プライバシーを確保するために、開放された面に塀などの目隠しを配置する必要があり、十分な開放感を確保することが困難である。
【０００６】
そこで本発明は、プライバシーと開放感を両立することができ、屋内側から屋外の自然を感じることができる住宅を提供することを目的とする。
【課題を解決するための手段】
【０００７】
本発明の住宅は、敷地全体が略矩形の矩形領域を形成し、又は敷地のアプローチ部及び車庫部を除いた部分が略矩形の矩形領域を形成する敷地に建設される住宅であって、長手方向が互いに平行な平面視矩形の２つの１階居住空間と、前記２つの１階居住空間の間に形成され当該２つの１階居住空間を行き来可能に接続する連絡通路と、前記２つの１階居住空間の間であり、且つ前記連絡通路の両側に隣接して形成される庭と、を１階に備え、前記連絡通路の両側は全面透明な１階全面窓が形成され、２つの前記１階居住空間は互いに対向する前記庭側の面に床面から天井面までに亘る開口部が形成されるとともに、前記矩形領域の一方の対角線が前記連絡通路及びその両側の前記庭を通ることを特徴としている。
【０００８】
本発明の住宅は、前記２つの１階居住空間の互いに対向する面が、前記矩形領域の一方の側辺側から当該側辺に垂直な方向を平行投影した場合に、重なる配置であることを特徴としている。
【０００９】
本発明の住宅は、２階以上の階層を有する住宅であって、前記２つの１階居住空間の上部にそれぞれ形成される２つの２階居住空間と、前記連絡通路の上に形成され、前記２階居住空間を行き来可能に接続する渡り廊下と、を更に備え、前記渡り廊下は前記連絡通路よりも幅狭に形成されており、前記渡り廊下に隣接して、前記連絡通路と連通する吹き抜け部が設けられ、前記連絡通路の前記１階全面窓の上に２階全面窓が形成されることを特徴としている。
【００１０】
本発明の住宅は、前記２階居住空間の床高さで、一方の前記２階全面窓に対して平行に屋外方向に距離を開けて架設される第一水平ブレースを備えることを特徴としている。
【００１１】
本発明の住宅は、前記第一水平ブレースは、屋根状に形成された架設体の内部に収納されており、当該架設体の両端部の下に、前記２つの１階居住空間の庭側の開口部である出入り窓がそれぞれ形成されることを特徴としている。
【００１２】
本発明の住宅は、前記２階居住空間の床高さで、一方の前記２階居住空間の他方の前記２階居住空間と対向する外壁の端縁から、前記１階居住空間の長手方向に突出する構造梁と、他方の前記２階全面窓に対して平行に屋外方向に距離を開けて前記構造梁の先端と他方の前記２階居住空間との間に架設される第二水平ブレースとを備えることを特徴としている。
【発明の効果】
【００１３】
本発明の住宅によると、２つの１階居住空間の長手方向が互いに平行になるように配置されており、この２つの１階居住空間の間に行き来可能に接続する連絡通路が形成されている。また、２つの１階居住空間の間であり、且つ、連絡通路に隣接して庭が形成されている。そして、連絡通路の両側は全面透明な１階全面窓が形成されているので、２つの１階居住空間の間に庭と連絡通路とが光を透過可能に直線的に配置されることとなるので、２つの１階居住空間の間の空間が屋外から貫通しているかのような印象を与え、屋内外のつながりを演出することができる。そして、２つの１階居住空間には庭側の面にそれぞれ床面から天井面までに亘る開口部が形成されているので、２つの１階居住空間の敷地の外側を向く面に大きな開口を設けることなく、互いに対向する面に形成された開口部によって通風や採光を確保することができるので、プライバシーを確保しやすい。さらに、１階居住空間の長手方向が前記矩形領域の一方の対角線が連絡通路及びその両側の庭を通るので、２つの１階居住空間の間の空間と隣地境界との間に距離を設けることができ、例えば外部からの視線を遮るために塀などの目隠しを設ける場合に、当該目隠しを２つの１階居住空間の間の空間から離れた位置に配置することで、採光性の低下を防ぎ、目隠しによる閉塞感を抑えることができる。
【００１４】
本発明の住宅によると、２つの１階居住空間の互いに対向する面が、矩形領域の一方の側辺側から当該側辺に垂直な方向を平行投影した場合に重なる配置であるので、一方の側辺側の隣地からの２つの１階居住空間の間の空間を視認することができず、視線を遮るための塀などの目隠しの配置をより限定的なものにすることができ、１階居住空間をより開放的なものとすることができる。また、２つの１階居住空間が互いに長さ方向にずれて配置されることになるので、２つの１階居住空間の間の空間をより開放的な印象のものとすることができる。
【００１５】
本発明の住宅によると、２つの２階居住空間を行き来可能に接続する渡り廊下が連絡通路の上に形成されており、当該渡り廊下は連絡通路よりも幅狭に形成されており、渡り廊下に隣接して、連絡通路と連通する吹き抜け部が設けられ、連絡通路の１階全面窓の上に２階全面窓が形成されているので、連絡通路からみると、１階床から２階天井までが全面的に窓で形成されていることになり、連絡通路をより開放感のあるスペースにすることができる。
【００１６】
本発明の住宅によると、一方の１階全面窓及び２階全面窓の間から屋外方向に距離を開けて、２つの２階居住空間の間に第一水平ブレースが架設されるので、幅狭に形成されてるとともに、両側が１階及び２階がそれぞれ全面窓になっていることで、水平力が集中しやすい渡り廊下への水平力の集中を抑制することができる。
【００１７】
本発明の住宅によると、第一水平ブレースが屋根状に形成された架設体の内部に収納されており、架設体の両端部の下に、２つの１階居住空間の庭側の開口部である出入り窓がそれぞれ形成されているので第一水平ブレースの下側を屋根の有る屋外通路として利用することができ、２つの１階居住空間の間の行き来に利用することができる。
【００１８】
本発明の住宅によると、２階居住空間の床高さで、一方の２階居住空間の他方の２階居住空間と対向する外壁の端縁から、１階居住空間の長手方向に突出する構造梁と、他方の１階全面窓及び２階全面窓の間から屋外方向に距離を開けて構造梁の先端と他方の２階居住空間との間に架設される第二水平ブレースとを備えるので、渡り廊下から水平方向に距離を開けた位置に第二水平ブレースを設けることができ、第一水平ブレースと第二水平ブレースを渡り廊下を挟んで両側に距離を開けて配置することで、渡り廊下への水平力の集中を抑制することができる。
【図面の簡単な説明】
【００１９】
【図１】住宅の隣地状況を示す１階断面図。
【図２】住宅の１階水平断面を示す図。
【図３】住宅の２階水平断面図を示す図。
【図４】図３のＩ−Ｉ線部分断面図。
【図５】矩形領域内の住宅の配置を簡略的に説明する図。
【発明を実施するための形態】
【００２０】
以下、本発明に係る住宅１の最良の実施形態について、各図を参照しつつ説明する。住宅１は、図１及び図２に示すように、敷地の矩形領域２に建設される。敷地は、当該敷地全体が略矩形の矩形領域２を形成していてもよく、又は敷地のアプローチ部及び車庫部を除いた部分が略矩形の矩形領域２を形成していてもよい。アプローチ部は、車両が敷地内の車庫部に進入するための通路や居住者が住宅１に入るための通路を含み、階段やスロープ状になっている部分も含む。例えば、アプローチ部は旗竿地の通路部分や前面道路よりも敷地が高くなっている場合の階段等を含む。また、車庫部は車両を駐車する敷地の部分をいい、車庫用の建物が設けられていても、設けられていなくてもよい。矩形領域２は少なくとも３辺が隣地境界となっている好ましいが、２面以上が接道する敷地である場合や敷地の外周に遊歩道や公園などが設けられる場合には、矩形領域２の各辺が隣地境界となっていなくてもよい。略矩形の矩形領域２とは平面視した場合に、完全な矩形であるものの他、多少の凹凸があっても平面視した場合に矩形の４つの角が認識可能であればよい。
【００２１】
本実施形態における住宅１は、２階建てであり、図２及び図３に示すように、１階に２つの１階居住空間３ａ，３ｂと、２つの１階居住空間３ａ，３ｂを行き来可能に接続する連絡通路４とを備える。また、住宅１は、２つの１階居住空間３ａ，３ｂの上に、それぞれ２つの２階居住空間５ａ，５ｂを備えており、２つの２階居住空間５ａ，５ｂを行き来可能に接続する渡り廊下６を備えている。なお、本実施形態における敷地内にはさらに車庫、フィットネスルーム、及び裏口等の用途の別棟７が建設されている。住宅１は鉄骨造であり、別棟７は鉄筋コンクリート造で形成されており、住宅１と別棟７とをエクスパンジョイント８で接続している。
【００２２】
住宅１は鉄骨造で形成されており、一方の１階居住空間３ａの上に一方の２階居住空間５ａが設けられ、他方の１階居住空間３ｂの上に他方の２階居住空間５ｂが設けられている。住宅１は平面視４．５ｍ×４．５ｍの正方形を１つの設計単位として、この設計単位を組み合わせて形成されている。本実施形態では、３つの設計単位を並べてそれぞれの１階居住空間３ａ，３ｂを矩形に形成している。このように設計単位を定めて設計することで、外観及び内装を統一感のあるデザインとすることができる。
【００２３】
一方の１階居住空間３ａには、キッチン、ダイニング、リビングが形成されている。他方の１階居住空間３ｂには、バスルーム、洗面所、トイレ、玄関、２階居住空間５ｂに行き来するための階段、及びエレベータが形成されている。一方の１階居住空間３ａと他方の１階居住空間３ｂとは、長手方向が互いに平行となるように配置されており、これら２つの１階居住空間３ａ，３ｂの間の距離は４．５ｍである。２つの１階居住空間３ａ，３ｂは、長さ方向に１設計単位分、すなわち４．５ｍずれて配置されている。具体的には、他方の１階居住空間３ｂを前面道路９に近づく方向にずらして配置しており、他方の１階居住空間３ｂの前面道路９に近い部分を玄関としている。なお、本実施形態においては、１階居住空間３ａ，３ｂの長手方向が南北方向であり、玄関が最も北側に配置されている。
【００２４】
一方の１階居住空間３ａと他方の１階居住空間３ｂとの間には、当該２つの１階居住空間３ａ，３ｂを行き来可能に接続する連絡通路４が形成されている。連絡通路４は平面視４．５ｍ×４．５ｍであり、その両端はそれぞれの１階居住空間３ａ，３ｂに繋がっている。連絡通路４の両側には、全面透明な１階全面窓１０が形成されている。１階全面窓１０は、一部に屋外への出入りを可能とするガラス製の開き戸又は引き戸が設けられ、その他の部分は嵌め殺しの窓となっている。１階全面窓１０の屋外側にはそれぞれ庭１１が形成されている。
【００２５】
２つの１階居住空間３ａ，３ｂの互いに対向する面には、庭１１に向かって床面から天井面に亘る開口部１２が形成されている。これら開口部１２は一部が庭１１に出入り可能な引き戸の掃き出し窓１２ａで構成されるとともに、他の部分が嵌め殺し窓で構成されている。また、一方の１階居住空間３ａのリビング及びダイニングには庭１１と反対側の外壁に地窓１３が形成されており、他方の１階居住空間３ｂの庭１１と反対側の外壁には、トイレ及び洗面所の配置される位置に摺りガラスの小窓１４が形成されている。
【００２６】
このように、本実施形態の住宅１は、２つの１階居住空間３ａ，３ｂの長手方向が互いに平行になるように配置されており、この２つの１階居住空間３ａ，３ｂの間に行き来可能に接続する連絡通路４が形成され、その連絡通路４に隣接して庭１１が形成されており、且つ、連絡通路４の両側が全面透明な１階全面窓１０が形成されているので、２つの１階居住空間３ａ，３ｂの間に庭１１と連絡通路４とが光を透過可能に直線的に配置されることとなり、２つの１階居住空間３ａ，３ｂの間の空間が屋外から貫通しているような印象を与え、屋内外のつながりを演出することができる。そして、２つの１階居住空間３ａ，３ｂには互いに対向する面にそれぞれ床面から天井面までに亘る開口部１２が形成されているので、敷地の外側を向く面に大きな開口を設けることなく、通風や採光を確保しつつ、プライバシーを確保しやすい。
【００２７】
一方の２階居住空間５ａは、図３に示すように、一方の１階居住空間３ａの上に形成されており、ベッドルームなどの居室や２階のバスルーム及びトイレなどが形成されている。一方の１階居住空間３ａの上の庭１１側の一部には２階居住空間５ａが設けられていない部分があり、屋外テラス１５となっている。また、他方の２階居住空間５ｂは、他方の１階居住空間３ｂの上に形成されており、居室、１階居住空間３ａ，３ｂから繋がる階段、及びエレベータが形成されている。他方の１階居住空間３ｂの一部に２階居住空間５ｂが設けられていない部分があり、陸屋根１６が形成されている。
【００２８】
１階に形成されている連絡通路４の上には、図３及び図４に示すように、連絡通路４よりも幅狭の渡り廊下６が形成されている。当該渡り廊下６は２つの２階居住空間５ａ，５ｂの間に架設されている。渡り廊下６は長さ４．５ｍで幅が１ｍに形成されており、渡り廊下６の両側が１階の連絡通路４から連通する吹き抜け部１７となっている。吹き抜け部１７は幅がそれぞれ１．７５ｍに形成されており、１階の連絡通路４から見上げて中央に渡り廊下６が架設されるとともに両側に等しい幅で吹き抜け部１７が形成されている。吹き抜け部１７の渡り廊下６と反対側の側部には２階全面窓１８が形成されている。２階全面窓１８は、窓枠部１９を挟んで、１階全面窓１０の真上に形成されている。このように形成されることで、連絡通路４からみると、１階床から２階天井までが全面的に窓で形成されていることになり、連絡通路４をより開放感のあるスペースにすることができる。
【００２９】
一方の１階全面窓１０及び２階全面窓１８の間の窓枠部１９から屋外方向に３．５ｍ距離を開けた位置には第一水平ブレース２０が２階全面窓１８と平行に架設されている。第一水平ブレース２０は端部が図示しない梁又は柱に固定される鋼製線材をＸ字状に組み合わせて形成されている。第一水平ブレース２０は、屋根状に形成された幅１ｍの架設体２１の内部に収納されている。架設体２１の渡り廊下６と反対側の側面は他方の１階居住空間３ｂの上の陸屋根１６の端縁と直線状に連続して形成されており、意匠性を高めている。
【００３０】
このように第一水平ブレース２０が架設されることで、幅狭に形成されており住宅１の水平力が集中しやすく、また、両側が１階全面窓１０及び２階全面窓１８になっていることで、強度が不足しやすい渡り廊下６への水平力の集中を抑制することができる。そして、第一水平ブレース２０の下側を屋根の有る屋外通路として利用することができ、屋外の庭１１を通って２つの１階居住空間３ａ，３ｂの間の行き来に利用することができる。
【００３１】
架設体２１の両端部の下には、２つの１階居住空間３ａ，３ｂのそれぞれの開口部１２が形成されており、これらの開口部１２は庭１１に出入り可能な引き戸の掃き出し窓１２ａとなっている。
【００３２】
一方の１階居住空間３ａの他方の１階居住空間３ｂと対向する外壁の端縁から、１階居住空間３ａ，３ｂの長手方向に２階の床までの高さの突出壁２２が形成されている。突出壁２２の内部には２階居住空間５ａ，５ｂの床高さの位置に躯体に固定された構造梁２３が設置されている。そして、他方の２階全面窓１８に対して平行に屋外方向に距離を開けて、構造梁２３の先端と他方の２階居住空間５ｂとの間に第二水平ブレース２４が架設されている。第二水平ブレース２４は第一水平ブレース２０と同様の構成であり、屋根状に形成された幅１ｍの第二架設体２１の内部に収納されている。したがって、第一水平ブレース２０と第二水平ブレース２４を渡り廊下６を挟んで両側に距離を開けて配置することで、渡り廊下６へ水平力が集中することを抑制することができる。突出壁２２の先端と他方の第１居住空間３ｂとの間には目隠し格子２５が設けられている。
【００３３】
このように形成される住宅１は、図２及び図５に示すように、敷地の矩形領域２に建設されており、矩形領域２の一方の対角線２６が２つの１階居住空間３ａ，３ｂの間の連絡通路４及び庭１１を通るように配置されている。そして、矩形領域２には、住宅１の一方の１階居住空間３ａの庭１１と反対側に高さ８００ｍｍの円弧状の低い塀３０が形成されている。この低い塀３０によって隣地から地窓１３が隠されている。また、１階居住空間３ａ，３ｂの長手方向の一方に２つの１階居住空間３ａ，３ｂ及び２階居住空間５ａ，５ｂとその間の庭１１とを隠す円弧状の高い塀２９が形成されている。高い塀２９は高さが３５００ｍｍの高さを有している。
【００３４】
敷地の周りには、図１に示すように、２階建ての隣接住宅２７や平屋の隣接倉庫２８が設けられている。住宅１は、図５に示すように、矩形領域２の一方の側辺２ａ側から当該側辺２ａに垂直な方向に平行投影した場合に、２つの１階居住空間３ａ，３ｂの互いに対向する面同士が重なる配置に形成されている。これによって、一方の１階居住空間３ａ及び一方の２階居住空間５ａに遮られて、一方の側辺２ａ側の隣地からは２つの１階居住空間３ａ，３ｂの間の庭１１や連絡通路４、及び他方の１階居住空間３ｂや２階居住空間５ｂの屋内を視認することができない。なお、一方の側辺２ａは矩形領域２を構成する４辺のうちいずれか任意の一辺であるが、隣接住宅２７等の配置等を考慮した場合に、視線を遮りたい方向の一辺であることが好ましい。本実施形態においては、互いに平行な２つの側辺から見て、当該２つの側辺に垂直な方向に平行投影した場合に、２つの１階居住空間３ａ，３ｂの互いに対向する面同士が重なる配置となっているので、２つの側辺からの視線を遮って屋内を視認することができない配置である。
【００３５】
本実施形態の住宅１は、図５に示すように、矩形領域２の一方の対角線２６が１階居住空間３ａ，３ｂの間を通るように配置されているので、庭１１と連絡通路４とで形成される直線的な光の通り道が敷地の角部に当り、住宅１から隣地境界までの距離を離すことができ、庭１１や連絡通路４への外部の視線を遮る塀を設ける際に、距離を開けて塀を設けることができ、採光性を高め、塀による閉塞感を抑えることができる。
【００３６】
そして、２つの１階居住空間３ａ，３ｂの互いに対向する面が、矩形領域２の一方の側辺２ａ側から当該側辺に垂直な方向を平行投影した場合に重なる配置であるので、一方の側辺２ａ側の隣地からの２つの１階居住空間３ａ，３ｂの間の空間を視認することができず、視線を遮るための塀などの目隠しの配置をより限定的なものにすることができ、１階居住空間３ａ，３ｂをより開放的なものとすることができる。また、２つの１階居住空間３ａ，３ｂが互いに長さ方向にずれて配置されることになるので、２つの１階居住空間３ａ，３ｂの間の空間をより開放的な印象のものとすることができる。
【００３７】
本発明の実施の形態は上述の形態に限ることなく、本発明の思想の範囲を逸脱しない範囲で適宜変更することができることは云うまでもない。
【産業上の利用可能性】
【００３８】
本発明に係る住宅１は、隣地にも住宅が建設されている住宅街に建てられる住宅１として好適である。
【符号の説明】
【００３９】
１      住宅
２      矩形領域
３ａ，３ｂ  １階居住空間
４      連絡通路
５ａ，５ｂ  ２階居住空間
６      渡り廊下
１０    １階全面窓
１１    庭
１２    開口部
１７    吹き抜け部
１８    ２階全面窓
２０    第一水平ブレース
２１    架設体
２３    構造梁
２４    第二水平ブレース
２６    対角線
【図１】
2019196662.tif 000003
【図２】
2019196662.tif 000004
【図３】
2019196662.tif 000005
【図４】
2019196662.tif 000006
【図５】
2019196662.tif 000007